(57)【特許請求の範囲】
【請求項１】
掘削シャベル(１４)の前方縁部(１２)に取り付けるための磨耗組み立て品であって、前記前方縁部(１２)は、内側面(１６)と外側面(１７)を有し、
前記磨耗組み立て品は、前方縁部(１２)に固定的に取り付けられた小突起部(２４)を備え、前記小突起部(２４)は、前方縁部(１２)の内側面(１６)または外側面(１７)と向き合う内側面(３８)と、後方と向き合って錠部材(２６)と適切に当接する垂直壁(３６)とを有する本体(３２)を含み、
磨耗部材は、脚部(５４)の内側面(５８)と外側面(５９)と、該脚部の内側面(５８)に沿って開口し小突起部(２４)の本体(３２)を収容する溝孔(６２)と、前方に突出する先端部(５６)と、磨耗部材を貫通して延びる開口部(７６)と、前記開口部(７６)内に規定されて錠部材(２６)と当接する後壁(８１)と、開口部(７６)に収容され、磨耗部材が前方縁部(１２)から外れることを防止する錠部材(２６)と、を有し、錠部材(２６)は、開口部(７６)内で該開口部の前壁(８０)と向き合う該開口部の後壁(８１)と当接する後壁(１１０)を備えるブロック状本体(１０８)を含み、小突起部(２４)の垂直壁(３６)と当接する支承面(１２４)を備え、磨耗部材の取り付け時に存在する可能性のある緩みを排除するために移動することができる調整用組み立て品(９２)を有する磨耗組み立て品。
【請求項２】
小突起部(２４)は、支承面(５２)を備える先端部を含み、磨耗部材は、小突起部(２４)の支承面(５２)と当接する溝孔(６２)の先端部にある支承面(６８)を含む請求項１記載の摩耗組み立て品。
【請求項３】
掘削シャベル(１４)の前方縁部(１２)に取り付けるための磨耗組み立て品であって、前記前方縁部(１２)は、内側面(１６)と外側面(１７)を有し、
前記磨耗組み立て品は、前方縁部(１２)に固定して取り付けられた小突起部(２４)を備え、前記小突起部(２４)は、前方縁部(１２)と向き合う内面(３８)と、錠部材(２６)と適切に当接する後方を向く垂直壁(３６)と、支承面(５２)を備える先端部とを有する本体(３２)を有し、
磨耗部材は、脚部(５４)の内側面(５８)と外側面(５９)と、該脚部の内側面に沿って開口し小突起部(２４)の本体(３２)を受け入れる溝孔(６２)と、前方に突出する先端部(５６)と、磨耗部材を貫通して延びる開口部(７６)と、開口部(７６)内に規定される後壁(８１)と、溝孔(６２)の先端部にあって溝孔の外に延び小突起部(２４)の支承面(５２)と向き合って当接する支承面(６８)と、を含み、
錠部材(２６)は、開口部(７６)の前壁(８０)と向き合う該開口部の後壁(８１)と当接する後壁(１１０)を備えるブロック状本体(１０８)と、小突起部(２４)の垂直壁(３６)と当接する支承面(１２４)を備え、磨耗部材の取り付け時に存在する可能性のある緩みを排除するために移動することができる調整用組み立て品(９２)と、を含み、
開口部(７６)に収容されて、磨耗部材の後壁(７８)に向き合って当接する錠部材(２６)と、磨耗部材が前方縁部(１２)から外れることを防止する小突起部(２４)の垂直壁(３６)とを備える磨耗組み立て品。
【請求項４】
錠部材(２６)のブロック状本体(１０８)は、ネジ溝付きの孔(１１６)を含み、調整用組み立て品(９２)は、孔(１１６)内に収容されるネジ溝付きのプラグ(１１８)を含む請求項１記載の摩耗組み立て品。
【請求項５】
小突起部(２４)は、前方縁部(１２)の掘削端部を包囲する請求項１〜３のいずれか１記載の摩耗組み立て品。
【請求項６】
磨耗部材内の溝孔(６２)は、ほぼ、Ｔ字状の形態を備える請求項１〜５のいずれか１記載の摩耗組み立て品。
【請求項７】
磨耗部材が、地中に適切に貫入する掘削縁部を備えるポイントを適切に支持する先端部(５６)を含む請求項１〜６のいずれか１記載の摩耗組み立て品。
【請求項８】
錠部材(２６)は、ブロック状本体(１０８)から突出して、開口部(７６)内で錠を保持する突起物(１２６)を更に含む請求項１〜７のいずれか１記載の摩耗組み立て品。
【請求項９】
開口部(７６)は、磨耗部材の後壁(７８)内に開口するステム部(８８)を含む請求項１〜８のいずれか１記載の摩耗組み立て品。
【請求項１０】
開口部(７６)もまた、十字型部分(８９)を含み、ステム部(８８)は軸方向に延び、十字型部分(８９)は、ステム部(８８)を横断して延びる請求項１〜９のいずれか１記載の摩耗組み立て品。
【請求項１１】
掘削シャベル(１４)の前方縁部(１２)に取り付けるための磨耗部材であって、前記前方端部(１２)は、内側面(１６)と、外側面(１７)と前方端部(１２)に固定された小突起部(２４)とを有し、
磨耗部材は、
前方に突出する先端部(５６)と、内側面(５８)と、外側面(５９)と、該内側面に沿って開口し、小突起部(２４)を収容する溝孔(６２)とを含む脚部(５４)と、磨耗部材を貫通して延びる開口部（７６）とを有し、開口部（７６）は、その内部に規定されて、磨耗部材が小突起部（２４）から外れることを防止するために、脚部(５４)の前壁(８０)と向き合う該脚部の後壁（８１）と垂直壁（３６）に当接する錠部材（２６）を収容しており、
錠部材(２６)は、開口部(７６)の前記後壁(８１)と当接する後壁(１１０)を備えるブロック状本体(１０８)と、小突起部(２４)の垂直壁(３６)と当接する支承面(１２４)を備え、磨耗部材の取り付け時に存在する可能性のある緩みを排除するために移動することができる調整用組み立て品(９２)と、を含み、
溝孔（６２）の先端部にあって、溝孔（６２）の外側に延びて小突起部(２４)の支承面(５２)に隣接する支承面(６８)を備える磨耗部材。
【請求項１２】
磨耗部材内の溝孔(６２)は、ほぼ、Ｔ字状の形態を備える請求項１１記載の磨耗部材。
【請求項１３】
開口部(７６)は、磨耗部材の後壁(７８)内に開口するステム部(８８)を含む請求項１１または１２記載の磨耗部材。
【請求項１４】
開口部(７６)もまた、十字型部分(８９)を含み、ステム部分(８８)が軸方向に延び、十字型部分(８９)がステム部分(８８)を横断して延びる請求項１３記載の磨耗部材。
【請求項１５】
地中に適切に貫入する掘削縁部を備えるポイントを適切に支持する先端部(５６)を含む請求項１１〜１４のいずれか１記載の磨耗部材。
【請求項１６】
前方縁部(１２)と重なる唯一の脚部(５４)を含む請求項１１〜１５のいずれか１記載の磨耗部材。
【請求項１７】
開口部(７６)内に錠部材(２６)を保持する止め栓(９６)を含む請求項１１〜１６のいずれか１記載の磨耗部材。
【発明の詳細な説明】
【０００１】
発明の分野
本発明は、掘削装置の掘削刃のための磨耗組立品、詳しくは、そのような掘削装置に機械的に取り付けるアダプタ−に関する。
発明の背景
複数の掘削用の歯および他の磨耗部材は、シャベル(bucket)の掘削刃および他の掘削装置と一緒に長い間装着され、地面を掘り起こし、掘削作業の能率を上げてきた。良くわかるように、掘削刃と一緒に使用される磨耗部材は、しばしば過酷な作業状況下に置かれ、このため激しい磨耗を受け易い。
【０００２】
頻繁な交換を必要とする部品の寸法を最小にするために、複数の掘削用の歯は、通常、一体的に接続される複数の部品として形成する。１枚の掘削用の歯は、普通、アダプタ−と、尖端部部と、尖端部をアダプタ−に固着するための固定ピンからなる。アダプタ−は、掘削機の掘削刃に取付けるために形成する後部装着用端部と、尖端部を装着するために前方に突出する先端部とを有する。その尖端部は、土壌に突入する前方端部と、アダプタ−の先端部に受容されるように適合差せられた後方に開口する受け口とを設けられた先細部材である。その尖端部は、非常に頻繁に磨耗するが、アダプタ−もまた、磨耗を受け易く、定期的に交換される。良くわかるように、アダプタ−は、掘削機に堅固に固着可能で、使用中歯の望まれていない喪失を防止するだけでなく、野外で作業員が容易に取外し可能で且つ据付可能であることが望ましい。
【０００３】
アダプタ−のような磨耗部材をシャベルの掘削刃に固着するため、多くの異なった解決法が、開発されてきた。Hahnに対する米国特許第4,577,423 号は、シャベルの縁部に溶接するアダプタ−の例を提供している。予想どおり、溶接は、シャベルにアダプタ−を堅固に取り付けるように機能する。しかしながら、溶接したアダプタ−の交換は、通常、野外よりもむしろ店舗で行われる。そのように溶接したアダプタ−を取外し、据え付けるためには、所要時間と障害とが必須であるので、重要な抑止力となることがわかる。
【０００４】
Hahn他に対する米国特許第4,267,653 号は、機械的に取付けるアダプタ−の例を説明している。この特許で分かるように、機械的に取付けるアダプタ−は、しばしば、Ｃ字形の締め金および楔の組み合わせにより、シャベルに保持される。その楔は、アダプタ−をシャベルに堅固に保持するために、締め金とアダプタ−の間に極めて堅固に取付けられなければならない。通常、その楔は、打撃を重い大ハンマ−で繰り返して、組立品に中にはめ込まれる。良くわかるように、このことは、特に最後の少しばかりの運転をやり遂げるため、組立品の装着を必要とする野外の作業員にとって面倒で、時間のかかる仕事である。さらに、堅固にはめ込まれた楔でも、しばしば重い荷重を受けて緩んでくるので、このため、歯を喪失する危険もある。最後に、これらの組立品は、シャベル縁部に形成する孔が必要であり、それにより、縁部の強度と完全性とが減少する。
【０００５】
Jones に対する米国特許第5,088,214 号は、磨耗部材をシャベルの縁部に機械的に取付けるためのもう１つの実施態様を開示している。この構成によれば、磨耗部材は、シャベルの縁部に溶接するＴ字形小突出部に嵌合するように滑らされる。硬い固定用ブロックが、磨耗部材の上部に画成される開口部内に取付けられ、磨耗部材が縁部から望ましくない移動をすることを防止する。この構成により、シャベル縁部の孔を形成することを避けれるが、この構成が、すべての形式の磨耗部材をどのような種類のシャベルにでも取付けて使用するのに適しているというわけではない。例えば、傾斜した縁部を設けられた大きなシャベルは、ある状況下では、装着用組立品に中に不安定状態を引き起こすかもしれない大きな力を、アダプタ−に生じさせる傾向がある。さらに、その組立品は、磨耗部材と小突出部との間に存在するかも知れない緩みを除去することについての手段が欠けている。
発明の概要
本発明の磨耗組立品は、磨耗部材を溶接する必要なしに、あるいは、好ましい構成において、孔を掘削機の刃に形成する必要なしに、磨耗部材を掘削機の掘削刃に堅固に固着することができる。その上、その組立品は、充分な安定性を有し、アダプタ−を傾斜面を持って形成されるシャベル縁部に充分に支持する。それでもやはり、磨耗組立品の耐久性にもかかわらず、磨耗部材の交換が必要になった時、さらに容易に取外しまたは据付を行うことができる。
【０００６】
本発明の一態様によれば、磨耗組立品は、掘削機に固定される小突出部に解放可能に取付ける磨耗部材を具備する。その磨耗部材は、掘削機の前面刃の上で後方へ延在する脚部を具備する。Ｔ字形構造体が、小突出部に取付けるため、脚部の内面に沿って形成される。磨耗部材および小突出部の補足し合うＴ字形連結用構造体は、荷重を受けて磨耗部材が強制的に移動させられることを防止する。また、磨耗部材は、使用時に加えられる荷重に耐えるため、前部および後部の支承面を有する。
【０００７】
本発明のもう一つの態様では、小突出部が、掘削機と向かい合って位置する第１面と、磨耗部材を受容するためＴ字形連結用構造体を形成する第２面とから形成される。さらに、小突出部は、磨耗部材を支えるための前部支承面と、磨耗部材の移動を防止するため錠部材と接するための後部支承面とを具備する。好ましい構成において、締付け部は、第１面と一緒に形成され、掘削機の前部掘削刃の周りを包み込む。
【０００８】
本発明のもう一つの態様によれば、錠を受容するための開口部は、磨耗部材の脚部を貫通して形成する。その開口部は、ステム部分と十字形部分とを有する概ねＴ字形の外形を有する。そのステム部分は、脚部の後端部から開口部の側方の十字形部分まで縦方向に延在する。錠の本体は、磨耗部材が小突出部から移動するこを防止するため、小突出部の後端部と十字形部分の後壁との間に置かれる。調整用組立品は、錠の本体を貫通して延在し、磨耗部材と小突出部との間に存在するかも知れないどのような緩みも除去する。
【０００９】
本発明のもう一つの態様によれば、そらせ板(deflector) を、磨耗部材の後方の位置で掘削機に固定してもよい。小突出部から磨耗部材を取り外すことは、部品の周囲に細かいものが詰まるため、しばしば困難な仕事になりかねない。しかしながら、錠部材が調整用組立品を持つと、そらせ板を使用して磨耗部材を小突出部から容易に前方へ摺動させることができる。
本発明の詳細な説明
本発明は、アダプタ−のような磨耗部材に関するもので、それは、掘削機の掘削刃に機械的に取付けられる。本発明に基づく磨耗部材は、多くの異なる掘削機に固着できるが、実例についての本出願は、掘削シャベルに固着させるアダプタ−の使用のみを議論することを目的としている。さらに、装置の操作が、本磨耗組立品に色々の異なった方向を想定する原因となっている。それにもかかわらず、説明の目的を達成するため、磨耗組立品の構成要素については、上下のような相対的方向に関して時々説明されている。これらの方向は、別な様に述べない限り、図２に示すような磨耗組立品の方向に関するものと理解すべきである。
【００１０】
本発明に基づくアダプタ−１０は、シャベル１４の前方縁部１２（図２）に取付けるために特に設計されている。その縁部は、上面すなわち内側面１６と、下面すなわち外側面１７と、前方刃先面１８を有する内側面１６と相互連結する傾斜面１９とからなっている。アダプタ−１０は、小突出部２４および錠部材２６の使用により縁部１２に固定される。
【００１１】
小突出部２４は、シャベル１４の縁部の周囲を包み込む１対の脚部２８、２９を有する概ねＪ字形部材である（図４〜８）。上脚２８は、本体３２と側方突縁部３４とを有し、それらは、Ｔ字形構造体を脚部の上面に沿ってともに形成する。脚部２８の後端部は、概ね平坦な垂直壁３６を形成し、その垂直壁３６は、あとで述べるように、錠部材２６と接触して機能するが；壁３６は、凹面または凸面形状を持つてもよい。脚部２８の内面３８は、好ましくは内側面１６と向き合って位置する後部４０と、傾斜面１９と向き合って位置する前部４１とを具備する。それにもかかわらず、ある状況下では、脚部２８は、掘削装置の外側面に固定されてもよい。
【００１２】
好ましい構成において、溶接ビ−ズ(weld beads)４４を、少なくとも後部４０および前部４１の一部分に沿って固着し、小突出部をシャベル縁部に固定的に取り付ける（図４）。少なくとも１個の孔４６が、上脚２８を貫通して設けられることが好ましく、小突出部をシャベルに溶接するための付加的区域を画成する（図５、６）。希望すれば、１対の孔４６ａ、４６ｂを（または、他の実施態様で）、代わりに設けてもよい。説明の目的を達成するために、孔についてのこの実施態様を、小突出部の斜視図（図４）に示している。小突出部は、アダプタ−によってほぼ包まれるので、あとで述べるように、小突出部の磨耗は、最小にされる。その結果、小突出部は、まれに交換することが必要になるだけである。したがって、縁部に小突出部を溶接することは、頻繁に交換が必要となるアダプタ−と異なり、野外の作業員にとって重要な抑止力ではない。代わりに、小突出部をボルト締めまたは縁部構造体と一体的に鋳造するような他の方法で、シャベルの縁部に固定してもよい。また、特に鋳造突起部については、下脚部を省略してもよい。
【００１３】
Ｔ字形構成を形成するに当たって、小突出部２４の本体３２は、突縁部３４より幅が狭い。しかしながら、脚部２８の下部は、再び、小突出部の前端部において広がり、脚部２９とともに締付け部４８を形成する。好ましい構成において、締付け部４８の幅は、アダプタ−１０とほぼ同じ幅を有する。締付け部４８は、上部受け金物４９と、概ねＶ字形の外形を形成するように交差する下脚部２９とを具備する。幅広の締付け部は、突起部をシャベルに保持するために強い支持力を提供し、またアダプタ−に負荷される荷重に耐えて支持力を高める。さらに、下脚部２９は、部材の露出と磨耗を制限するために短く且つアダプタ−１０に近接して配置される。図示されていないが、好ましい構成では、下脚部２９は、外側面１７に溶接される。突起部２４の前面は、あとで述べるように、アダプタ−と嵌まり込むように接する支承面５２を画成するよう形づくる。本体３２を突縁部３４および締付け部４８と接続するために、支承面５２は、概ねＩ字形の外形を有する（図４）。
【００１４】
アダプタ−１０は、後方へ延在する脚部５４および前方に突出する先端部５６を具備する（図１〜３および９〜１２）。先端部５６は、Emrichに対する米国特許第4,965,945 号で開示されているように形成することが好ましく、その特許は、本明細書に引例として組み入れる。それにもかかわらず、多くの他の先端構造体を、希望により使用してもよい。使用にあたって、尖端部（図示せず）に画成される受け口は、先端部の上に嵌め込むように受容される。描かれている実施例において、固定ピン（図示せず）は、肩部５７に沿って通り、尖端部（図示せず）をアダプタ−に固着する。
【００１５】
アダプタ−１０は、シャベルの内面に沿って延在することが好ましい単一の脚部５４を具備する。通常、典型的な二股のアダプタ−の外側の脚部は、内側の脚部よりも激しい磨耗を経験する。シャベルの外側に沿う脚部の必要性を排除することにより、本発明のアダプタ−は、より長い耐用期間を享受する。それにもかかわらず、ある状況下では、脚部５４を、掘削装置の外側面に沿って固着してもよい。脚部５４は、内面５８と外面５９とを有する。Ｔ字形の溝孔６２は、内面５８に沿って開口し、小突出部の上部に沿って画成されるＴ字形の外形と嵌合って係合する。シャベルにアダプタ−１０を据え付けるに当たって、そのアダプタ−は、溝孔６２が突縁部３４の上にまた周囲に受容されるように、突起部２４の上を後方に向かって滑らされる。別の実施態様として、ある状況下では、小突出部およびアダプタ−のＴ字形構造体は、Jones に対する米国特許第5,241,765 号で開示されているように，それらの間に離隔した間隙を有するレ−ル部分として形成されてもよく、その特許は、本明細書に引例として組み入れる。この特許で論議されているように、レ−ル部分を使用することにより、磨耗部材の据付および移動が小突出部に沿ってアダプタ−を最小限縦方向に滑動させることで可能となる。
【００１６】
よく分かるように、突縁部３４は、アダプタ−がシャベル１４の内側面１６から上方へ且つ離れるように移動することを防止する。内面５８の端縁部６４は、シャベル縁部１２の輪郭に従うが、その端縁部は、縁部と如何なる意味のある係合も持たない。好ましい構成において、間隙６６は、アダプタ−１４の端縁部６４の大部分とシャベル１４との間に形成され、溶接ビ−ズ４４の配置のために充分な空間をとることができる。
【００１７】
支承面６８は、溝孔６２の前端部に位置し、小突出部２４の前部で支承面５２に対して接する（図２および１０）。好ましい構成において、支承面５２およびは６８は、先端部５６の軸７０に対してほぼ垂直となるように向いている。この実施態様で、それらの支承面により耐えられるモ−メント力の大きさを、最小限にすることができる。それにもかかわらず、支承面５２、６８の角度の向きは、望ましい実用性に基づき、かなり変えることができる。さらに、支承面５２、６８はともに、尖端部の前部において下向きに加えられる力によりよく耐えるために、先端部５６より下方に延在することが好ましい。その上、これらの支承面が、このように下向きに延伸すると、小突出部２４の締付け部４８を覆う前面が形成され、その結果、小突出部の磨耗を減少することとなる。最後に、支承面５２、６８は、概ね平面であるが、それらはまた、凹状または凸状の形状であってもよい。
【００１８】
開口部７６は、脚部５４に設けられ、外面５９から内面５８まで延在し、溝孔６２と連絡する（図１および９）。開口部７６は、脚部５４の後端部７８の付近に位置し、アダプタ−１０が小突出部の上に組立てられる時、小突出部２４の後部支承面３６の後方に位置する。好ましい実施例において、開口部７６は、ステム部分８８と十字形部分８９とを具備する概ねＴ字形の外形を有する。その十字形部分は、一対の対向する前壁８０および後壁８１と一対の側壁８２および８３とによって画成される。ステム部分８８は、十字形部分８９と後壁７８との間に縦方向に延在する。あとでさらに充分に論議するように、ステム部分８８は、錠部分２６の調整用組立品９２に対して間隙を与える。また開口部７６の前壁８０は、好ましくは中央凹部９４を具備し、必要とされるような間隙を調整用組立品の前部に対して与える。
【００１９】
開口部７６の十字形部分の側壁のうちの１面８２は、止め金９６を画成し、開口部において錠部材２６を解放可能に保持するため、掛け金９８と協働する（図１２および１８）。止め金９６は、掛け金９８を受容するように適合させられた凹部１０３に配置するタブ(tab）１０１で形成することが好ましい。開口部７６の他の側壁８３は、環状の弧と形状合致し、錠を差し込んだり、外したりするための回動支持体を形成するア−チ型の外形を有する。脚部５４は、あとで説明するように、錠部材２６の１端１０７を受容するため、側壁８３の下方に空間１０５を具備する。
【００２０】
錠部材２６は、アダプタ−１０が小突出部２４から軸方向に滑動することを防止するよう機能する。錠部材２６は、前壁１０９と、後壁１１０と、第１末端壁１１１と、第２末端壁１１２とによって画定される硬いブロック状の本体１０８を有する（図１４〜１６）。錠部材２６の本体１０８は、開口部７６の十字形部分８９の中に受容され、それにより、その前壁１０９は，小突出部２４の後壁３６と対向し、その後壁１１０は、アダプタ−１０の後壁８１と対向する（図１）。この係合構造体は、効果的に、アダプタ−が小突出部に沿って前方に移動することを防止する。
【００２１】
さらに、錠部材２６は、掛け金９８を具備する（図１４、１６および１８）。掛け金９８は、硬い突起物１２６とエラストマ−部材１２８とを具備することが好ましい。掛け金９８は、末端壁１１１の開口部１３０内に装着され、それにより、突起物１２６は、開口部１３０から外方へ突出する。錠を開口部７６から容易に取り外すために、溝１３１が、末端壁１１１の上面に沿って、錠２６に画定されることが好ましく、工具（例えば、ねじ回し）が突起物１２６の肩部１３３と係合して、掛け金９８を止め金９６から引っ込めることができる。（図１５および１６）。第２末端壁１１２は、ア−チ型の窪み１３２を備え、その窪み１３２は、ア−チ型の末端壁８３と嵌め合って係合するように適合させられ、そして、錠部材２６が、回動して開口部７６の中へまた外へと回転することができる。錠部材２６が、開口部７６の中へ差し込まれると、末端部分１０７は、空間１０５と適合し、大きな接触区域を提供する（図１８）。
【００２２】
さらに、錠２６は、アダプタ−と小突出部との間に存在するかもしれない若干の緩みを除去するため、調整用組立品９２を具備する（図１４〜１６）。好ましい構成において、調整用組立品９２は、ねじが切られた孔１１６を具備し、その孔１１６は、錠部材２６を貫通して延在し、ねじが切られたプラグ１１８を受容する。プラグ１１８は、後端部にスパナまたはこれに類するものと容易に係合する平坦面１２２と、前部支承面１２４とを備える。使用に当たって、プラグ１１８は、支承面１２４が小突出部２４の後壁３６と係合し、且つ錠部材２６の後壁１１０が、開口部７６の後壁８１と接するまで、孔１１６を通って前進する。プラグ１１８は、プラグ１１８に不必要な荷重を掛けることを避けるため、接する壁との係合を超えて締め付けられないことが好ましい。その上、プラグは、圧縮力のみが掛けられるので、その組立品は、かなりの耐久度と強度とを有する。アダプタ−と小突出部とが磨耗するにつれて、２つの部品の間で緩みが進行する。この緩みを除去するために、プラグ１１８は、再びプラグ１１８の前面１２４が、小突出部２４の後壁３６と接触し、また後壁１１０が、開口部７６の後壁８１と接触するまで、前方へ前進させられる。
【００２３】
代わりに、組立品に存在する緩みを除去するため、プラグ１１８を、流体圧を頼みとする調整用組立品９２ａと交換してもよい（図１７）。さらに詳しくは、この実施例において、錠部材２６ａは、ねじが切られた孔１１６の代わりに、円筒形の空洞部１３４を具備する。ピストン１３６は、小突出部２４の後壁３６に向かうように、またそれから離れるように移動するため、摺動可能に空洞部１３４の中に受容される。保持用環１３８が、空洞部にねじで取り付けられ、停止部材を形成し、ピストン１３６の環状肩部１４０が、その停止部材に向かって最大延伸で係合する。後壁１４２は、空洞部をその後端で閉鎖し、油脂用取付け部品１４４を支持する。油脂用取付け部品１４４は、保護のため凹部１４３に配置することが好ましい。油脂または他の液体が、空洞部１３４に送り込まれ、ピストン１３６を前方に駆動させる。コイルばね１４５が、ピストン１３６の周囲で受容され、油脂が空洞部１３４から流出した時ピストンを引っ込ませる。
【００２４】
また、調整用組立品９２、９２ａを有する錠部材２６、２６ａを使用するに当たって、他のアダプタ−構成品とともに使用してもよい。例えば、油脂用取付け部品の位置を変えることによって、錠部材２６ａを、ステム部分のないアダプタ−１０´の開口部に置くことができる（図１３）。他の例として、磨耗組立品が、シャベル１７２に取り付けられるアダプタ−１７０および小突出部１７１を具備することができる（図１９および２０）。シャベル縁部１７４は、概ね平行な内側面１７６および外側面１７７と、丸い前縁部１７８とを具備する。
【００２５】
アダプタ−１７０は、内側面１７６と外側面１７７に沿ってそれぞれ延在する一対の脚部１８２および１８３並びに先端部１８６を具備する（図１９および２０）。先端部１８６は、アダプタ−１０の先端部５６と同じような構成を有することが好ましいが、異なった先端部を使用できることを示すために、本明細書に引例として組み入れる米国特許第RE33042 号に基づく先端部を示している。上脚部１８２は、縁部１７４の内側面１７６と向合って配置される下面１８９を有する。Ｔ字形の溝孔１９１は、下面１８９に開口し、互いに補足し合うＴ字形の小突出部１７１を受容する。脚部１８２の後端部は、開口部７６と同じ構成を有する開口部１９５を具備する。
【００２６】
そらせ板（deflector)２０１（図１〜２および２１）は、シャベル１４（または、代わりにシャベル１７２）の内側面に固着することが好ましい。そらせ板２０１は、前方を向いた突っ張り面２０３を設けられたＵ字形部材であることが好ましいが；他の構造部材も使用できる。そらせ板２０１は、野外においてアダプタ−１０の取り外しを容易にするため使用される。詳しくは、錠２６（または２６ａ）が、開口部７６から取り外され、反転され、アダプタ−１０の後端部７８とそらせ板２０１の突っ張り面２０３との間に画定される間隙２０５内に配置される。その時、プラグ１１８が、前進させられ、それにより、その突っ張り面１２４は、そらせ板２０１を押し、アダプタ−１０の後端部７８と係合するように錠部材２６を前方へ移動させる。次に、プラグ１１８が継続的に前進すると、アダプタ−１０を小突出部２４から押し出すように機能する。代わりに、他の拡張装置（例えば、タ−ンバックル）を錠２６の代わりにそらせ板とともに使用できる。
【００２７】
調整用組立品を有する錠の使用が望ましいが、それは、本発明にとって本質的なものではない。アダプタ−１０と１７０は、アダプタ−の前方向への移動を単に防止するだけの調整用組立品（図示せず）がなくとも、硬い錠によって小突出部２４、１７１に対し充分に固着できる。これらの状況下で、錠部材および対応する開口部については、Jones に対する米国特許第5,088,214 号で論議されていることと同じことが本質的なものであり、その特許を、本明細書に引例として組み入れる。アダプタ−１０´のような例が図１３に示されている。それにもかかわらず、調整用組立品のない錠を、なお開口部７６、１９５に使用できる。
【００２８】
上記の論議は、本発明の好ましい実施例に関するものである。多くの変化および変形例と同様、種々の他の実施例が、請求の範囲に規定するように、本発明の精神およびより広い態様から離れることなく作ることができる。
【図面の簡単な説明】
【図１】図１は、本発明に基づく磨耗組立品の平面図である。
【図２】図２は、磨耗組立品の立面図である。
【図３】図３は、図２の線３−３に沿って切断した断面図である。
【図４】図４は、本発明に基づく小突出部の斜視図である。
【図５】図５は、小突出部の平面図である。
【図６】図６は、小突出部の立面図である。
【図７】図７は、図６の線７−７に沿って切断した小突出部の断面図である。
【図８】図８は、小突出部の背面図である。
【図９】図９は、本発明に基づくアダプタ−の平面図である。
【図１０】図１０は、アダプタ−の立面図である。
【図１１】図１１は、図１０の線１１−１１に沿って切断したアダプタ−の断面図である。
【図１２】図１２は、アダプタ−の背面図である。
【図１３】図１３は、本発明に基づく別のアダプタ−の平面図である。
【図１４】図１４は、本発明に基づく錠部材の平面図である。
【図１５】図１５は、錠部材の立面図である。
【図１６】図１６は、錠部材の背面図である。
【図１７】図１７は、本発明に基づく別の錠部材の断面図である。
【図１８】図１８は、本発明に基づくアダプタ−組立品に部分的に挿入した錠部材の背面図である。
【図１９】図１９は、本発明に基づくもう１つの別のアダプタ−の平面図である。
【図２０】図２０は、掘削機の掘削刃にあるその他の別のアダプタ−の立面図である。
【図２１】図２１は、磨耗部材の効果的な取り外しのために配置された錠部材を有する本発明に基づく磨耗組立品の平面図である。
【図１】
0003816791.tif 000002
【図２】
0003816791.tif 000003
【図３】
0003816791.tif 000004
【図４】
0003816791.tif 000005
【図５】
0003816791.tif 000006
【図６】
0003816791.tif 000007
【図７】
0003816791.tif 000008
【図８】
0003816791.tif 000009
【図９】
0003816791.tif 000010
【図１０】
0003816791.tif 000011
【図１１】
0003816791.tif 000012
【図１２】
0003816791.tif 000013
【図１３】
0003816791.tif 000014
【図１４】
0003816791.tif 000015
【図１５】
0003816791.tif 000016
【図１６】
0003816791.tif 000017
【図１７】
0003816791.tif 000018
【図１８】
0003816791.tif 000019
【図１９】
0003816791.tif 000020
【図２０】
0003816791.tif 000021
【図２１】
0003816791.tif 000022